(57)【要約】【課題】  マイクを確実に保持するとともに、その保持作業を容易に行うことができるマイクホルダを提供すること。【解決手段】  一端側にマイク１１を挿入可能な開口部１２を備えた本体部１３と、この本体部１３に支持されてマイク１１と所定の外部部材との導電を行う接続端子１５とを備えてマイクホルダ１０が構成されている。本体部１３は、周壁２０と、この周壁２０に連なって音抜け防止部を構成する底壁２１とを備えており、周壁２０の上端側には、アンダーカット部２４が設けられている。接続端子１５の内方端部２９は、常時は、本体部１３の内面から離間する姿勢に設けられている。マイク１１を本体部１３内に挿入することにより、マイク１１が接続端子１５に電気的に導通可能に設けられている。【選択図】      図１
2005027345.tif 000002
【特許請求の範囲】
【請求項１】
一端側にマイクを挿入可能な開口部を備えた本体部と、この本体部に支持されるとともに、所定の外部部材に対して本体部内のマイクと導電可能に設けられた接続端子とを備えたマイクホルダにおいて、
前記本体部には、マイク脱落防止部が設けられ、このマイク脱落防止部によって本体部内のマイクが保持された状態で、前記マイクが接続端子に電気的に導通可能に設けられ、
前記本体部は、マイクの外周形状と略同一の内周形状を備えた周壁と、この周壁の下端に連なった底壁であって音抜け防止部を構成するものとを一体に備えた有底容器型をなすことを特徴とするマイクホルダ。
【請求項２】
前記底壁は、上方に突出する形状を有することを特徴とする請求項１記載のマイクホルダ。
【請求項３】
前記接続端子は、インサート成形により本体部に固定され、
前記本体部外に位置する接続端子の外方端部は、前記外部部材に突き当てることにより弾性変形可能に設けられていることを特徴とする請求項１又は２記載のマイクホルダ。
【請求項４】
前記本体部内に位置する接続端子の内方端部は、本体部内にマイクを挿入したときに、当該マイクの電極面を押圧することを特徴とする請求項１，２又は３記載のマイクホルダ。
【請求項５】
前記底壁は肉薄部を有することを特徴とする請求項１ないし４の何れかに記載のマイクホルダ。
【請求項６】
前記本体部内に位置する接続端子の内方端側は、前記肉薄部の面上から離間した姿勢を初期姿勢として前記本体部に一体成形されていることを特徴とする請求項５記載のマイクホルダ。
【発明の詳細な説明】
【技術分野】
【０００１】
本発明は、マイクホルダに係り、更に詳しくは、本体部の内側にマイクを保持した状態で、このマイクに接続端子を通じて外部部材と通電可能に設けられているマイクホルダに関する。
【背景技術】
【０００２】
従来より、例えば、携帯電話やトランシーバ等のケース内にはマイクが設けられており、このマイクを所定位置に保持するマイクホルダが利用されるに至っている。このマイクホルダは、その性質上、マイクとプリント基板等の外部部材との通電状態を確実に維持し、且つ、しっかりとマイクを保持しなければならない。そこで、内部にマイクを受容して当該マイクと外部部材との通電を可能としたマイクホルダ５０が提案されている（例えば、特許文献１）。
【０００３】
前記マイクホルダ５０は、図４に示されるように、マイク５１の外周形状と略同一の内周形状を備えたゴムホルダ５２と、このゴムホルダ５２を受容可能に設けられた環状部５４と、この環状部５４の図中下端側に設けられた複数の支持板部５５と、環状部５４の下端側から下方に延びるとともに、外部部材５６に係合可能に設けられた一対の脚部５７とを備えて構成されている。ゴムホルダ５２の図中下端側には、各支持板部５５に設けられた孔５５Ａに係合可能な係合突起５９が設けられている。マイクホルダ５０にマイク５１を装着する作業は、ゴムホルダ５２内にマイク５１を収納させてから各係合突起５９を孔５５Ａにそれぞれ係合させた後、ゴムホルダ５２の上面をフロントケース６０のリブ６１により押圧することにより行われる。
【特許文献１】特開平１０−１７８２８５号公報
【発明の開示】
【発明が解決しようとする課題】
【０００４】
しかしながら、このようなマイクホルダ５０にあっては、当該マイクホルダ５０の構造が複雑になるばかりでなく、マイク５１を保持するため複数の部材を組合わせなければならないという不都合を生じる。また、マイク５１と外部部材５６との電気的な導通を行うため、半田付け等の接続作業が不可避的に要求され、この作業が極めて煩雑になるという不都合も招来する。更に、ゴムホルダ５２及び環状部５４は、これらの軸方向に貫通した形状に設けられているので、マイク５１の図中上面側から入力される音が反対側の下方向に漏れる、いわゆる音抜けした状態になるという不都合もある。
【０００５】
［発明の目的］
本発明は、このような不都合に着目して案出されたものであり、その目的は、マイクと所定の外部部材との通電状態を良好に維持しながら本体部内に位置するマイクを確実に保持し、且つ、その保持作業を容易に行うことができるマイクホルダを提供することにある。
【課題を解決するための手段】
【０００６】
前記目的を達成するため、本発明は、一端側にマイクを挿入可能な開口部を備えた本体部と、この本体部に支持されるとともに、所定の外部部材に対して本体部内のマイクと導電可能に設けられた接続端子とを備えたマイクホルダにおいて、
前記本体部には、マイク脱落防止部が設けられ、このマイク脱落防止部によって本体部内のマイクが保持された状態で、前記マイクが接続端子に電気的に導通可能に設けられ、
前記本体部は、マイクの外周形状と略同一の内周形状を備えた周壁と、この周壁の下端に連なった底壁であって音抜け防止部を構成するものとを一体に備えた有底容器型をなす、という構成が採用されている。
【０００７】
本発明における底壁は、上方に突出する形状を有する、という構成も採用することができる。
【０００８】
また、前記接続端子は、インサート成形により本体部に固定され、
前記本体部外に位置する接続端子の外方端部は、前記外部部材に突き当てることにより弾性変形可能に設けられる、という構成も採用することができる。
【０００９】
更に、前記本体部内に位置する接続端子の内方端部は、本体部内にマイクを挿入したときに、当該マイクの電極面を押圧する、という構成も好ましくは採用される。
【００１０】
また、前記底壁は肉薄部を有する、という構成を採ることができる。
【００１１】
更に、前記本体部内に位置する接続端子の内方端側は、前記肉薄部の面上から離間した姿勢を初期姿勢として前記本体部に一体成形されることが好ましい。
【発明の効果】
【００１２】
本発明によれば、マイクと外部部材との通電状態を維持しながら本体部内に挿入されたマイクをしっかりと保持することができ、本体部内からマイクが脱落してしまう虞を有効に排除することができる。また、本体部の一端側からマイクに入力された音が本体部の他端側に音抜けし、当該入力された音の音質が損なわれてしまう虞を排除することができる。
更に、例えば、接続端子の内方端の初期姿勢を挿入されるマイクの電極面に接する位置とした場合、本体部内にマイクを挿入するだけで接触端子とマイクとが通電することとなり、従来例に示されるような外部部材とマイクとを通電させるための接続作業を省略することができ、ひいては、製造コストの低減を図ることができる。
【００１３】
なお、本明細書及び特許請求の範囲において、特に明示しない限り、「上」、「上方」若しくは「上端」とは、マイクホルダの図２中上側について用いられ、「下」、「下方」若しくは「下端」とはその反対側について用いられる。また、本明細書及び特許請求の範囲における左右方向は、特に明示しない限り、図３を基準として用いるものとする。
【発明を実施するための最良の形態】
【００１４】
以下、本発明の実施の形態を図面を参照しながら説明する。
【００１５】
図１には、実施形態に係るマイクホルダの概略平面図が示され、図２には、前記マイクホルダがマイクを受容した状態の正面断面図が示されている。これらの図において、マイクホルダ１０は、特に限定されるものでないが、本実施形態では、携帯電話やトランシーバ等の図示しないケース内に配置されている。マイクホルダ１０は、マイク１１を挿入可能な開口部１２を一端側すなわち上端側に備えた有底容器型の本体部１３と、この本体部１３に支持された二つの接続端子１５とを備えて構成されている。
【００１６】
前記マイク１１は、図２に示されるように、略円筒状に形成されており、上面側を受音面１７とし、下面側を電極面１８として構成されている。また、マイク１１の下面側には、当該マイク１１の外周に沿って閉ループ状の突条部１９が設けられている。
【００１７】
前記本体部１３は、本実施形態では、意図的な外力を付与することにより開口部１２を若干拡径可能な弾力性を備えた樹脂材により一体成形されている。本体部１３は、マイク１１の外周形状と略同一の内周形状を備えた周壁２０と、この周壁２０の下端側に連なる音抜け防止部としての底壁２１とを備え、上端側を開放部１２として構成されている。また、周壁２０の上端側における周方向略１８０度間隔位置には、周壁２０の図１中中心側に突出するマイク脱落防止部としてのアンダーカット部２４が設けられ、このアンダーカット部２４により受容されたマイク１１の上方への移動を規制することとなる。また、底壁２１の図３中中央領域には、肉薄に形成された肉薄部としての弾力バックアップ部２６が設けられ、この弾力バックアップ部２６は、接続端子１５に沿うように上方へ突出する山型形状に設けられている。
【００１８】
前記各接続端子１５は、本実施形態では、一枚の金属片をプレス加工により折り曲げて構成されるとともに、インサート成形法により本体部１３と一体的に形成されている。各接続端子１５は、図１及び図３に示されるように、底壁２１の上面側に位置するとともに、周壁２０を貫通して外側に突出する領域を備えた水平面部２８と、この水平面部２８の図３中左端側に連なるとともに、先端が斜め左上方向に向けられて前記弾力バックアップ部２６に添設される内方端部２９と、水平面部２８の同図中右端側から起立するとともに、周壁２０に埋設された起立面部３０と、この起立面部３０の上端側に連なる円弧状部３２と、この円弧状部３２に連なって外側に突出する外方端部３３とを備えて構成されている。
【００１９】
前記各内方端部２９は、弾力バックアップ部２６の面上から僅かに離間した姿勢（図３参照）を初期姿勢とするとともに、片持ち板ばね構造となって本体部１３内に受容されたマイク１１の電極面１８に対して上方へ押圧するばね力を発揮するように設けられている。各内方端部２９は、図１中左側の内方端部２９が電極面１８の中心位置を押圧し、同図中右側の内方端部２９が電極面１８の外周側位置を押圧可能に設けられている。また、各外方端部３３は、図示しない所定の外部部材に突き当てることにより、図３中矢印Ａ方向に弾性変形して退避可能に設けられている。従って、外側端部３３は、前記外部部材を押圧して接触させることにより、当該外部部材との良好な通電状態が維持されることとなる。
【００２０】
以上の構成において、マイク１１をマイクホルダ１０内に受容させる作業は、マイク１１を開口部１２から強制的に押し入れることにより行われる。この際、開口部１２を僅かに拡径してマイク１１の挿入を許容し、挿入完了状態でアンダーカット部２４がマイク１１の上端縁に係合することとなる。また、マイク１１を受容した状態において、アンダーカット部２４と、接続端子１５の内方端部２９とによりマイク１１を上下方向から挟み込んだ状態となる。これにより、周壁２０の締め付け作用と併せてマイク１１がその軸方向及び径方向の二方向から確実に保持されるとともに、内方端部２９が電極面１８を押圧してこれらの接触状態を良好に維持することが可能となる。
【００２１】
従って、このような実施形態によれば、音抜け防止部としての底壁２１を本体部１３に一体成形するとともに、マイク１１の外周面に周壁２０が密着する構成としたから、マイク１１の受音面１７に付与された音が本体部１３内を通って当該本体部１３の下側に漏れることを確実に防止することができるという効果を得る。
【００２２】
なお、前記実施形態において、接触端子１５の内方端部２９がマイク１１の電極面１８を押圧するばね性を備えるものとしたが、本発明は、これに限定されるものでなく、弾力バックアップ部２６の高さを図３に示される位置よりも高くして内方端部２９と共に電極面１８を押圧する構成としてもよい。これによれば、ばね性を有しない接触端子を用いても、電気的導通を常に確保することができる。
【００２３】
また、前記本体部１３の形状は、円筒状に近似した有底容器型としたが、これに限られず、例えば、マイク１１の形状に沿う開口部１２を備えた直方体形状等としてもよい。更に、マイク脱落防止部としてのアンダーカット部２４は、図示構成例では、周壁２０の上端側における周方向１８０度間隔位置に設けたが、これに限定されるものでなく、例えば、前記周方向９０度或いは１２０度間隔位置に設けたり、周壁２０の上下方向中央領域等に設けてもよい。要するに、本体部１３内に受容されるマイク１１が脱落しないように確実に係合できる構造であれば足りる。
【図面の簡単な説明】
【００２４】
【図１】本実施形態に係るマイクホルダの概略平面図。
【図２】図１のマイクホルダがマイクを保持した状態のＡ−Ａ線矢視断面図。
【図３】図１のＢ−Ｂ線矢視断面図。
【図４】従来のマイクホルダを示す概略断面図。
【符号の説明】
【００２５】
１０・・・マイクホルダ、１１・・・マイク、１２・・・開口部、１３・・・本体部、１５・・・接続端子、２１・・・底壁（音抜け防止部）、２４・・・アンダーカット部（マイク脱落防止部）、２６・・・弾力バックアップ部（肉薄部）、２９・・・内方端部
【図１】
2005027345.tif 000003
【図２】
2005027345.tif 000004
【図３】
2005027345.tif 000005
【図４】
2005027345.tif 000006